(57)【要約】通信装置における無駄な電力の消費を低減することができる配信システムを提供することを目的とする。本発明にかかる配信システムは、配信サービスエリア内に配信する情報を定める配信サーバ（１０）と、配信サーバ（１０）から配信された情報を受信する移動通信装置（２０）と、を備える。配信サービスエリアは、移動通信装置（２０）が、配信サービスエリア外から配信サービスエリア内へ移動する際に、配信サービスエリア内への入口となる入口エリアと、入口エリアとは異なる内部エリアとを有する。配信サーバ（１０）は、入口エリアに位置する移動通信装置（２０）へ情報を配信する頻度よりも、内部エリアに位置する移動通信装置（２０）へ情報を配信する頻度を少なくして、配信サービスエリア内に位置する移動通信装置（２０）へ情報を配信する。
2015107585.tif 000002
【特許請求の範囲】
【請求項１】
配信サービスエリア内に配信する情報を定める配信サーバと、
前記配信サーバから配信された情報を受信する移動通信装置と、を備え、
前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、
前記配信サーバは、
前記入口エリアに位置する移動通信装置へ情報を配信する頻度よりも、前記内部エリアに位置する移動通信装置へ情報を配信する頻度を少なくして、前記配信サービスエリア内に位置する移動通信装置へ情報を配信する、配信システム。
【請求項２】
前記配信サーバは、
前記入口エリアに位置する移動通信装置へ定期間隔で情報を配信し、前記内部エリアに位置する移動通信装置へ前記入口エリアに情報を配信する頻度よりも少ない頻度で情報を配信する、請求項１に記載の配信システム。
【請求項３】
前記配信サーバは、
前記内部エリアへ前記定期間隔よりも長い間隔で情報を配信するもしくは配信する情報が更新された際に前記更新された情報を配信する、請求項２に記載の配信システム。
【請求項４】
前記配信サーバは、
ＣＢＳ（Cell Broadcast Service）を介して情報を配信する、請求項１乃至３のいずれか１項に記載の配信システム。
【請求項５】
前記移動通信装置は、
前記入口エリアもしくは前記内部エリアにおいて受信した情報を保持し、前記内部エリアに位置すると判断する際に、前記保持している情報を出力する、請求項１乃至４のいずれか１項に記載の配信システム。
【請求項６】
前記配信サーバは、
前記移動通信装置が前記内部エリアに位置する際に、前記保持している情報を出力するタイミングに関する情報を前記移動通信装置へ配信する、請求項５に記載の配信システム。
【請求項７】
前記配信サーバは、
前記内部エリアに含まれるサブエリア内を移動する前記移動通信装置に対して、前記サブエリア内で情報を配信する回数を定め、前記移動通信装置が前記サブエリア内に滞在する間に定めた回数の情報を配信する間隔を定める、請求項１乃至６のいずれか１項に記載の配信システム。
【請求項８】
前記配信サーバは、
前記サブエリアの一部が前記入口エリアと重複する場合、前記サブエリア内であって前記重複するエリアを除いたエリア内を移動する前記移動通信装置に対して前記配信する回数を、前記サブエリア内で情報を配信する回数から前記重複するエリアにおいて情報を配信する回数を除いた回数と定める、請求項７に記載の配信システム。
【請求項９】
配信サービスエリア内に位置する移動通信装置へ配信する情報を定める送信情報決定手段と、
前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、
前記入口エリアへ位置する前記移動通信装置へ情報を配信する定期送信処理手段と、
前記内部エリアへ位置する前記移動通信装置へ前記入口エリアに情報を配信する頻度よりも少ない頻度で情報を配信する抑制送信処理手段と、を備える配信サーバ。
【請求項１０】
前記抑制送信処理手段は、
前記内部エリアへ情報を配信する間隔よりも長い間隔で情報を配信するもしくは配信する情報が更新された際に前記更新された情報を配信する、請求項９に記載の配信サーバ。
【請求項１１】
前記定期送信処理手段及び前記抑制送信処理手段は、
ＣＢＳ（Cell Broadcast Service）を介して情報を配信する、請求項９又は１０に記載の配信サーバ。
【請求項１２】
前記送信情報決定手段は、
前記移動通信装置が、前記入口エリアもしくは前記内部エリアにおいて受信した情報を保持し、前記内部エリアに位置すると判断する際に、前記保持している情報を出力する場合、
前記移動通信装置が前記内部エリアに位置すると判断する際に、前記保持している情報を出力するタイミングを決定する、請求項９乃至１１のいずれか１項に記載の配信サーバ。
【請求項１３】
前記送信情報決定手段は、
前記内部エリアに含まれるサブエリア内を移動する前記移動通信装置に対して、前記サブエリア内で情報を配信する回数を定め、前記移動通信装置が前記サブエリア内に滞在する間に定めた回数の情報を配信する間隔を定める、請求項９乃至１２のいずれか１項に記載の配信サーバ。
【請求項１４】
前記送信情報決定手段は、
前記サブエリアの一部が前記入口エリアと重複する場合、前記サブエリア内であって前記重複するエリアを除いたエリア内を移動する前記移動通信装置に対して前記配信する回数を、前記サブエリア内で情報を配信する回数から前記重複するエリアにおいて情報を配信する回数を除いた回数と定める、請求項１３に記載の配信サーバ。
【請求項１５】
移動通信装置が配信サービスエリア外から前記配信サービスエリア内へ移動する際に、前記配信サービスエリアへの入口となる入口エリアに位置する移動通信装置へ情報を配信する頻度よりも、前記入口エリアとは異なる内部エリアに位置する移動通信装置へ情報を配信する頻度を少なくして、前記配信サービスエリア内に位置する移動通信装置へ情報を配信する配信サーバから配信される情報を受信する通信手段を有する、移動通信装置。
【請求項１６】
前記入口エリアもしくは前記内部エリアにおいて受信した情報を保持する情報保持手段と、
前記内部エリアに位置すると判断する際に、前記保持している情報を出力する情報処理手段と、をさらに備える、請求項１５に記載の移動通信装置。
【請求項１７】
前記情報処理手段は、
前記配信サーバから送信された、前記保持している情報を出力するタイミングに関する情報に従って前記保持している情報を出力する、請求項１６に記載の移動通信装置。
【請求項１８】
配信サービスエリア内に位置する移動通信装置へ配信する情報を定め、
前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、
前記入口エリアへ位置する前記移動通信装置へ情報を配信し、
前記内部エリアへ位置する前記移動通信装置へ前記入口エリアに情報を配信する頻度よりも少ない頻度で情報を配信する情報配信方法。
【請求項１９】
配信サービスエリア内に位置する移動通信装置へ配信する情報を定め、
前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、
前記入口エリアへ位置する前記移動通信装置へ情報を配信し、
前記内部エリアへ位置する前記移動通信装置へ前記入口エリアに情報を配信する頻度よりも少ない頻度で情報を配信することをコンピュータに実行させるプログラムが格納された非一時的なコンピュータ可読媒体。
【発明の詳細な説明】
【技術分野】
【０００１】
本発明は配信システム、配信サーバ、移動通信装置、情報配信方法及びプログラムに関し、例えばデータを同報配信する配信システム、配信サーバ、移動通信装置、情報配信方法及びプログラムに関する。
【背景技術】
【０００２】
一般的に、通信ネットワークを介して災害情報等を迅速に配信するために、Cell Broadcast Service（ＣＢＳ）が用いられている。ＣＢＳは、情報配信元装置から送信された情報を、基地局が管理するセル単位に情報を配信するサービスである。つまり、ＣＢＳを用いることによって、セルに在圏する全ての通信端末に対して同一の情報を送信することが出来る。これによって、セルに在圏する全ての通信端末は、基地局を介して同一の情報を受信することが出来る。ＣＢＳのネットワーク構成及びＣＢＳを構成する各装置の動作等は、例えば非特許文献１に開示されている。【０００３】
また、一般的に、ＷｉＦｉを用いて情報を配信するサービスがある。ＷｉＦｉアクセスポイントがアクセスポイントの通信圏内の個別の通信端末あるいは全通信端末に情報を送信することが出来る。特に、全通信端末に情報を送信する場合、ＷｉＦｉアクセスポイント通信圏内の全ての通信端末は同一の情報を受信することが出来る。【０００４】
近年、災害情報等の配信に用いられていたＣＢＳを、広告配信等の商業的な利用に用いることが検討されている。商業的な利用として、例えば、高速道路利用者に対して、道路交通情報を定期的に配信するサービスが検討されている。高速道路利用者とは、例えば、通信装置を保持して車両に搭乗している人である。【０００５】
また、ＷｉＦｉアクセスポイントによる情報配信では、店頭や店内におけるクーポン情報の配信などが実サービスとして行われている。
【先行技術文献】
【非特許文献】
【０００６】
【非特許文献１】3GPP TS 23.041 V12.2.0 (2013-06) 3rd Generation Partnership Project; Technical Specification Group Core Network and Terminals; Technical realization of Cell Broadcast Service (CBS) (Release 12)
【発明の概要】
【発明が解決しようとする課題】
【０００７】
しかし、ＣＢＳやＷｉＦｉを用いて定期的に情報を配信する場合、次のような問題がある。定期的に情報を配信するサービス提供事業者は、情報を受信する新たな通信装置がサービス提供エリア内に移動してきた場合においても、漏れなく情報を配信するために、配信する情報に変更がない場合であっても定期的に情報を配信する。この場合、既にサービス提供エリア内に存在する通信装置は、同じ情報を複数回受信することになるため、受信処理に伴う受信電力が無駄に消費されるという問題がある。【０００８】
本発明の目的は、上述した課題を解決するために、通信装置における無駄な電力の消費を低減することができる配信システム、配信サーバ、移動通信装置、情報配信方法及びプログラムを提供することにある。
【課題を解決するための手段】
【０００９】
本発明の第１の態様にかかる配信システムは、配信サービスエリア内に配信する情報を定める配信サーバと、前記配信サーバから配信された情報を受信する移動通信装置と、を備え、前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、前記配信サーバは、前記入口エリアに位置する移動通信装置へ情報を配信する頻度よりも、前記内部エリアに位置する移動通信装置へ情報を配信する頻度を少なくして、前記配信サービスエリア内に位置する移動通信装置へ情報を配信するものである。【００１０】
本発明の第２の態様にかかる配信サーバは、配信サービスエリア内に位置する移動通信装置へ配信する情報を定める送信情報決定部と、前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、前記入口エリアへ位置する前記移動通信装置へ情報を配信する定期送信処理部と、前記内部エリアへ位置する前記移動通信装置へ前記入口エリアに情報を配信する頻度よりも少ない頻度で情報を配信する抑制送信処理部と、を備えるものである。【００１１】
本発明の第３の態様にかかる移動通信装置は、移動通信装置が配信サービスエリア外から前記配信サービスエリア内へ移動する際に、前記配信サービスエリアへの入口となる入口エリアに位置する移動通信装置へ情報を配信する頻度よりも、前記入口エリアとは異なる内部エリアに位置する移動通信装置へ情報を配信する頻度を少なくして、前記配信サービスエリア内に位置する移動通信装置へ情報を配信する配信サーバから配信される情報を受信する通信部を有するものである。【００１２】
本発明の第４の態様にかかる情報配信方法は、配信サービスエリア内に位置する移動通信装置へ配信する情報を定め、前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、
前記入口エリアへ位置する前記移動通信装置へ情報を配信し、前記内部エリアへ位置する前記移動通信装置へ前記入口エリアに情報を配信する頻度よりも少ない頻度で情報を配信するものである。【００１３】
本発明の第５の態様にかかるプログラムは、配信サービスエリア内に位置する移動通信装置へ配信する情報を定め、前記配信サービスエリアは、前記移動通信装置が、前記配信サービスエリア外から前記配信サービスエリア内へ移動する際に、前記配信サービスエリア内への入口となる入口エリアと、前記入口エリアとは異なる内部エリアとを有し、前記入口エリアへ位置する前記移動通信装置へ情報を配信し、前記内部エリアへ位置する前記移動通信装置へ前記入口エリアに情報を配信する頻度よりも少ない頻度で情報を配信することをコンピュータに実行させるものである。
【発明の効果】
【００１４】
本発明により、通信装置における無駄な電力の消費を低減することができる配信システム、配信サーバ、移動通信装置、情報配信方法及びプログラムを提供することができる。
【図面の簡単な説明】
【００１５】
【図１】実施の形態１にかかる配信システムの構成図である。
【図２】実施の形態２にかかる配信システムの構成図である。
【図３】実施の形態２にかかる配信サーバの構成図である。
【図４】実施の形態２にかかる入口エリアへの配信データの配信処理の流れを示す図である。
【図５】実施の形態２にかかる内部エリアへの配信データの配信処理の流れを示す図である。
【図６】実施の形態２にかかる内部エリアへの配信データの配信処理の流れを示す図である。
【図７】実施の形態３にかかるＵＥの構成図である。
【図８】実施の形態３にかかるＵＥにおける配信データの保管処理の流れを示す図である。
【図９】実施の形態３にかかるＵＥにおける配信データの受信処理の流れを示す図である。
【図１０】実施の形態４にかかる配信サーバにおける配信データの配信処理の流れを示す図である。
【図１１】実施の形態５にかかる配信データを配信する際のサービス概要を説明する図である。
【図１２】実施の形態５にかかる配信データを配信する際のサービス概要を説明する図である。
【図１３】実施の形態５にかかる配信データを配信する際のサービス概要を説明する図である。
【図１４】実施の形態６にかかるエリアの構成を説明する図である。
【図１５】実施の形態６にかかる送信情報決定部におけるサブエリアへ配信データを配信する間隔を算出する処理の流れを説明する図である。
【発明を実施するための形態】
【００１６】
（実施の形態１）
以下、図面を参照して本発明の実施の形態について説明する。図１を用いて本発明の実施の形態１にかかる配信システムの構成例について説明する。図１の配信システムは、配信サーバ１０及び移動通信装置２０を有している。配信サービスエリア３０は、配信サーバ１０が情報を配信するエリアである。配信サービスエリア３０は、入口エリア３１及び内部エリア３２を有している。入口エリア３１は、移動通信装置２０が配信サービスエリア３０外から配信サービスエリア３０内へ移動する際に、配信サービスエリア３０の入口となるエリアである。内部エリア３２は、入口エリア３１とは異なるエリアである。つまり、移動通信装置２０は、入口エリア３１を介して内部エリア３２へ移動する。
【００１７】
配信サーバ１０は、配信サービスエリア３０内へ配信する情報を定める。配信する情報は、例えば、文字情報、画像情報もしくは動画情報、あるいはバイナリ情報等であってもよい。配信サーバ１０は、例えば、ＣＰＵがメモリに格納されているプログラムを実行することによってさまざまな処理を実行するコンピュータ装置である。
【００１８】
移動通信装置２０は、配信サービスエリア３０内へ移動した際に、配信サーバ１０から配信される情報を受信する。移動通信装置２０は、３Ｇ通信などの広域無線通信が可能な通信モジュールあるいはＷｉＦｉモジュールなどを搭載した、パーソナルコンピュータ（ノートＰＣ等）、携帯電話端末、スマートフォン端末もしくはタブレット型通信端末等のコンピュータ装置であってもよい。もしくは、移動通信装置２０は、車両に搭載された通信装置等であってもよい。もしくは、移動通信装置２０は、他の通信装置もしくはサーバ装置等とユーザの操作を伴うことなく自律的に通信を行うＭ２Ｍ（Machine to Machine）端末等であってもよい。
【００１９】
配信サーバ１０は、入口エリア３１へ位置する移動通信装置２０へ情報を配信する頻度よりも、内部エリア３２に位置する移動通信装置２０へ情報を配信する頻度を少なくして、配信サービスエリア３０内に位置する移動通信装置２０へ情報を配信する。
【００２０】
配信サーバ１０は、例えば、入口エリア３１へ位置する移動通信装置へ定期的に情報を配信してもよい。定期的に配信される情報は、例えば、同じ情報であってもよく、異なる情報であってもよい。異なる情報とは、例えば、前回配信した情報を更新した情報であってもよい。配信サーバ１０が情報を配信する間隔を定めてもよく、配信サーバ１０は、他のサーバ装置等において定められた配信間隔に関する情報を、他のサーバ装置等から受け取ってもよい。
【００２１】
さらに、配信サーバ１０は、内部エリア３２に位置する移動通信装置へ、入口エリア３１に情報を配信する間隔よりも大きい間隔で情報を配信してもよい。もしくは、配信サーバ１０は、内部エリア３２へ定期的に情報を配信するのではなく、内部エリア３２へ情報を配信する回数が、入口エリア３１へ情報を配信する回数よりも少なくなるように、内部エリア３２へ情報を配信してもよい。この時、配信サーバ１０は、内部エリア３２へ定期的に情報を配信してもよく、任意のタイミングに情報を配信してもよい。
【００２２】
なお、配信サービスエリア３０において、移動通信端末２０の分布密度が大きいエリア３１を入り口エリア３１とし、移動通信端末２０の分布密度が小さいエリア３２を内部エリア３２としても良い。この場合、配信サービスエリア３０内を移動通信端末２０が移動する際において、分布密度が大きいエリアである入り口エリア３１で、定期的に情報を配信しても良い。また、分布密度が小さいエリアである内部エリア３２で、入口エリア３１に情報を配信する間隔よりも大きい間隔で情報を配信してもよい。もしくは、配信サーバ１０は、分布密度が小さいエリアである内部エリア３２へ定期的に情報を配信するのではなく、内部エリア３２へ情報を配信する回数が、入口エリア３１へ情報を配信する回数よりも少なくなるように、内部エリア３２へ情報を配信してもよい。この時、配信サーバ１０は、内部エリア３２へ定期的に情報を配信してもよく、任意のタイミングに情報を配信してもよい。
【００２３】
以上説明したように、本図の配信システムにおいては、配信サーバ１０が、配信サービスエリア３０内の入口エリア３１へ情報を配信する頻度よりも、配信サービスエリア３０内の内部エリア３２へ情報を配信する頻度を少なくすることができる。つまり、配信サービスエリア３０は、配信サービスエリア３０内に配置されているエリアの位置に応じて、情報を配信する頻度を変更することができる。
【００２４】
これによって、移動通信装置２０は、配信サービスエリア３０内の入口エリア３１へ移動した場合、情報を受信する回数が多いため、配信サーバ１０から配信される情報を確実に受信することができる。その後、移動通信装置２０は、内部エリア３２移動した際には、入口エリア３１において既に配信された情報を受信しているため、情報を受信する回数を少なくしても問題はない。例えば、移動通信装置２０は、入口エリア３１を移動していた際に既に受信した情報とは異なる情報が配信される場合にのみ、内部エリア３２において配信サーバ１０から配信される情報を受信してもよい。これによって、移動通信装置２０は、内部エリア３２へ移動した際に、配信された情報を受信する際の消費電力を低減させることができる。さらに、本図の配信システムを用いることによって、同じ情報が複数回送信されることにより、無線電波チャネル利用効率、無線電波帯域利用効率が悪化するという問題を解消することができる。これによって、無線電波利用効率も向上する。
【００２５】
（実施の形態２）
続いて、図２を用いて本発明の実施の形態２にかかる配信システムの構成例について説明する。図２は、３ＧＰＰ（3rd Generation Partnership Project）において定められているＣＢＳ（Cell Broadcast Service）を用いて、情報配信を行う配信システムを示している。ＣＢＳは、基地局が形成するセル単位に情報を配信するシステムである。本図の配信システムは、配信サーバ１０、ＣＢＣ（Cell Broadcast Centre）４０、ＭＭＥ（Mobility Management Entity）５０、ｅＮＢ（evolved Node B）６１、ｅＮＢ６２及びＵＥ（User Equipment）８０を有している。
【００２６】
配信サーバ１０は、図１の配信サーバ１０と同様である。また、配信サービスエリア３０も、図１の配信サービスエリア３０と同様である。ＵＥ８０は、図１の移動通信装置２０に相当する。
【００２７】
ｅＮＢ６１及びｅＮＢ６２は、３ＧＰＰにおいて定められているＬＴＥ（Long Term Evolution）をサポートする基地局である。ｅＮＢ６１は、通信可能範囲としてセル７１を定めている。ｅＮＢ６１は、セル７１に位置するＵＥ８０と通信を行うことができる。さらに、ｅＮＢ６２は、通信可能範囲としてセル７２を定めている。ｅＮＢ６２は、セル７２に位置するＵＥ８０と通信を行うことができる。ｅＮＢ６１及びｅＮＢ６２は、ＣＢＳにおいて、配下のセルに位置する複数のＵＥ８０に対して、一斉にデータを配信する。
【００２８】
ここで、各ｅＮＢ６１が形成するセル７１は各入り口エリア３１を含み、各ｅＮＢ６２が形成するセル７２は各内部エリア３２を含む。言い換えると、サービス提供にあたり、配信サービスエリアを網羅するようなセルを持つｅＮＢ６１およびｅＮＢ６２を用いる。なお、ｅＮＢ６１が形成するセル７１を入口セルとし、ｅＮＢ６２が形成するセル７２を内部セルと称してもよい。
【００２９】
また、上記とは異なり、ｅＮＢ６１が形成するセル７１が入口エリア３１に含まれ、ｅＮＢ６２が形成するセル７２が内部エリア３２に含まれるようなｅＮＢ６１およびｅＮＢ６２を用いても良い。この時、サービス提供にあたり配信サービスエリアを網羅するようにセルを選択する場合、例えば、内部エリア３２は複数のセル７２によってその領域を網羅されても良い。また、サービス提供内容によっては、あえて配信サービスエリアを網羅せずにエリア内の代表的なセルだけを用いても良い。なお、いずれおいても、ｅＮＢ６１が形成するセル７１を入口セルとし、ｅＮＢ６２が形成するセル７２を内部セルと称してもよい。
【００３０】
ＭＭＥ５０は、ＣＢＣ４０から送信された配信データを配信するｅＮＢを特定する。配信データは、配信サーバ１０が配信サービスエリア３０に配信する情報である。ＭＭＥ５０は、特定したｅＮＢへ配信データを配信する。
【００３１】
ＣＢＣ４０は、セルブロードキャストを実行する際に用いられる装置である。具体的には、ＣＢＣ４０は、配信サーバ１０から送信された配信データを配信するセルを決定する。例えば、配信サーバ１０は、配信サービスエリア３０に配信する配信データと、配信データを配信する配信サービスエリア３０に関する情報をＣＢＣ４０へ送信する。ＣＢＣ４０は、配信サービスエリア３０に関する情報を受信すると、配信サーバ１０において指定された配信エリア３０に対応するセルを特定する。ＣＢＣ４０は、配信サーバ１０から指定されるエリアに関する情報と、当該エリアに対応するセルに関する情報を関連付けて、メモリ等に関連付けた情報を保存しておいてもよい。
【００３２】
配信サーバ１０は、入口エリア３１に位置するＵＥ８０へ配信する配信データを定期的にＣＢＣ４０へ送信する。さらに、配信サーバ１０は、内部エリア３２に位置するＵＥ８０へ配信する配信データを、入口エリア３１に位置するＵＥ８０へ配信する間隔よりも長い間隔でＣＢＣ４０へ送信する。
【００３３】
また、配信サーバ１０は、入り口エリア３１および内部エリア３２における配信データの定期配信間隔あるいは配信タイミング・契機をＣＢＣ４０に予め（あるいは配信データ配信依頼時に）伝えても良い。この場合、配信サーバ１０は、配信データが発生した場合、送信したいエリア（入り口エリア３１か内部エリア３２か）、必要な場合はその配信データの定期配信間隔あるいは配信タイミング・契機を併せて、ＣＢＣ４０に配信データを通知する。そしてＣＢＣ４０は、入手した対応する配信エリアの定期配信間隔あるいは配信タイミング・契機にて実際の配信を行う。
【００３４】
このように、配信サーバ１０は、配信データを配信する際に、ＣＢＳを用いることによって、ｅＮＢが形成するセル毎に、配信データを配信する間隔を制御することができる。具体的には、配信サーバ１０は、入口エリア３１に対応するセル７１に位置するＵＥ８０へ配信データを配信する間隔を、内部エリア３２に対応するセル７２に位置するＵＥ８０へ配信データを配信する間隔よりも短くする。つまり、配信サーバ１０は、セル７１に位置するＵＥ８０に対して配信データを配信する頻度を、セル７２に位置するＵＥ８０に対して配信データを配信する頻度よりも多くする。
【００３５】
ＵＥ８０は、配信サービスエリア３０内へ移動する際に、はじめにセル７１において高い頻度で配信データを受信する。その後、ＵＥ８０は、セル７２へ移動すると、セル７１において配信データを受信していた頻度よりも低い頻度で配信データを受信する。このように、ＵＥ８０は、内部エリア３２に対応するセル７２における受信頻度が、入口エリア３１に対応するセル７１における受信頻度よりも低くなることによって、配信データの受信処理に伴う消費電力を低減させることができる。
【００３６】
なお、図２では３ＧＰＰにおいて定められているＣＢＳを用いた配信システムの構成を示したが、ＷｉＦｉによる配信システムを用いる場合、図２におけるｅＮＢ６１及びｅＮＢ６２はＷｉＦｉアクセスポイントに置き換えることが可能であり、セル７１及びセル７２はＷｉＦｉアクセスポイントの通信エリアに置き換えることが可能である。また、ＵＥ８０はＷｉＦｉ端末に置き換えることが可能である。さらに、図２におけるＣＢＣ４０及びＭＭＥ５０は、ＴＣＰ／ＩＰ通信を実現するための装置など（例えば、ルータ、スイッチ、ファイヤーウォール、ＤＨＣＰサーバ、ＤＮＳサーバ、ＶＰＮサーバ、その他サーバ類など）に置き換える、あるいは不要な装置とすることが可能である。
【００３７】
続いて、図３を用いて本発明の実施の形態２にかかる配信サーバ１０の構成例について説明する。配信サーバ１０は、送信情報決定部１１、定期送信処理部１２及び抑制送信処理部１３を有している。送信情報決定部１１、定期送信処理部１２及び抑制送信処理部１３は、メモリ等に格納されたプログラムを実行することによってそれぞれの処理を実行してもよい。
【００３８】
送信情報決定部１１は、ＣＢＳにおいて配信する配信データを生成する。もしくは、送信情報決定部１１は、他のサーバ装置等において生成された配信データを取得して、取得した配信データを、ＣＢＳにおいて配信する配信データと決定してもよい。送信情報決定部１１は、配信データを定期送信処理部１２及び抑制送信処理部１３へ出力する。また、送信情報決定部１１は、入口エリア３１に関する情報を定期送信処理部１２へ出力し、内部エリア３２に関する情報を抑制送信処理部１３へ出力する。入口エリア３１に関する情報とは、例えば、入口エリア３１の地域名称等であってもよい。同様に、内部エリア３２に関する情報とは、例えば、内部エリア３２の地域名称等であってもよい。
【００３９】
さらに、送信情報決定部１１は、入口エリア３１へ配信データを配信する間隔である定期送信間隔を決定し、決定した定期送信間隔に関する情報を定期送信処理部１２へ出力してもよい。さらに、送信情報決定部１１は、内部エリア３２へ配信データを配信するタイミングに関する情報を抑制送信処理部１３へ出力してもよい。
【００４０】
内部エリア３２へ配信データを配信するタイミングは、例えば、送信情報決定部１１が生成もしくは決定した配信データが更新されたタイミングであってもよい。もしくは、内部エリア３２へ配信データを配信するタイミングは、入口エリア３１へ配信する定期送信間隔よりも長い間隔の定期送信間隔であってもよい。その他、内部エリア３２へ配信データを配信するタイミングは、任意のタイミングとして定められてもよい。
【００４１】
定期送信処理部１２は、送信情報決定部１１から出力された配信データ、入口エリア３１に関する情報及び定期送信間隔に関する情報を受け取る。定期送信処理部１２は、定期送信間隔に該当するタイミングに、配信データをＣＢＣ４０へ送信する。この時、定期送信処理部１２は、配信データとともに入口エリア３１に関する情報もあわせてＣＢＣ４０へ送信する。なお、定期送信処理部１２は、定期送信間隔に関する情報を、送信情報決定部１１以外から入手しても良く、例えば、事前の設定情報あるいは別の機能部から入手しても良い。
【００４２】
抑制送信処理部１３は、送信情報決定部１１から出力された配信データ、内部エリア３２に関する情報及び配信データを配信するタイミングに関する情報を受け取る。抑制送信処理部１３は、配信データを配信するタイミングに該当するタイミングに、配信データをＣＢＣ４０へ送信する。この時、抑制送信処理部１３は、配信データとともに内部エリア３２に関する情報もあわせてＣＢＣ４０へ送信する。なお、抑制送信処理部１３は、配信データを配信するタイミングに関する情報を、送信情報決定部１１以外から入手しても良く、例えば、事前の設定情報あるいは別の機能部から入手しても良い。
【００４３】
また、定期送信処理部１２および抑制送信処理部１３の両方、あるいはいずれかは、ＣＢＣ４０に備わっていても良い。この場合、ＣＢＣ４０内に備わる定期送信処理部１２および抑制送信処理部１３は、配信サーバ１０の送信情報決定部１１から出力された配信データ、入り口エリア３１に関する情報あるいは内部エリア３２に関する情報、定期送信間隔に関する情報あるいは配信データを配信するタイミングに関する情報を受け取り、指定されたタイミングにおいて配信データをＭＭＥ５０に出力する。なお、この場合においても定期送信処理部１２および抑制送信処理部１３は、定期送信間隔に関する情報あるいは配信データを配信するタイミングに関する情報を、送信情報決定部１１以外から入手しても良い。
【００４４】
次に、図４を用いて本発明の実施の形態２にかかる入口エリア３１への配信データの配信処理の流れについて説明する。はじめに、送信情報決定部１１は、配信データを決定する（Ｓ１１）。送信情報決定部１１は、配信データを定期送信処理部１２へ出力する。次に、定期送信処理部１２は、定期送信間隔に該当するタイミングか否かを判定する（Ｓ１２）。定期送信処理部１２は、定期送信間隔に該当するタイミングであると判定した場合、送信情報決定部１１から出力された配信データを入口エリア３１へ配信する（Ｓ１３）。定期送信処理部１２は、定期送信間隔に該当するタイミングではないと判定した場合、ステップＳ１２の処理を繰り返す。ここで、定期送信処理部１２は、送信情報決定部１１から出力された配信データを定期送信間隔に該当するタイミングになるまでメモリ等に保存しておいてもよい。
【００４５】
次に、図５を用いて本発明の実施の形態２にかかる内部エリア３２への配信データの配信処理の流れについて説明する。はじめに、送信情報決定部１１は、配信データを決定する（Ｓ２１）。送信情報決定部１１は、配信データを抑制送信処理部１３へ出力する。次に、抑制送信処理部１３は、配信データを内部エリア３２へ配信するタイミングか否かを判定する（Ｓ２２）。抑制送信処理部１３は、配信データを内部エリア３２へ配信するタイミングであると判定した場合、送信情報決定部１１から出力された配信データを内部エリア３２へ配信する（Ｓ２３）。抑制送信処理部１３は、配信データを内部エリア３２へ配信するタイミングではないと判定した場合、ステップＳ２２の処理を繰り返す。ここで、抑制送信処理部１３は、送信情報決定部１１から出力された配信データを内部エリア３２へ配信するタイミングになるまでメモリ等に保存しておいてもよい。
【００４６】
次に、図６を用いて、本発明の実施の形態２にかかる内部エリア３２への配信データの配信処理について、図５とは異なる配信処理の流れについて説明する。はじめに、送信情報決定部１１は、配信データを決定する（Ｓ３１）。送信情報決定部１１は、配信データを抑制送信処理部１３へ出力する。次に、抑制送信処理部１３は、送信情報決定部１１から出力された配信データが、前回内部エリア３２へ配信した配信データと異なるか否かを判定する（Ｓ３２）。抑制送信処理部１３は、送信情報決定部１１から出力された配信データが、前回内部エリア３２へ配信した配信データと異なる、つまり、送信情報決定部１１から出力された配信データが、前回配信した配信データから変更されている場合、送信情報決定部１１から出力された配信データを内部エリア３２へ配信する（Ｓ２３）。抑制送信処理部１３は、送信情報決定部１１から出力された配信データが、前回内部エリア３２へ配信したデータと同じ場合、送信情報決定部１１から出力された配信データを破棄する（Ｓ３４）。
【００４７】
以上説明したように、本発明の実施の形態２にかかる配信システムを用いることにより、配信サーバ１０は、ＣＢＳを用いて配信サービスエリア３０の入口エリアに対応するセル７１と、内部エリアに対応するセル７２へ配信データを配信することができる。この時、配信サーバ１０は、セル７１及びセル７２に配信データを配信する際に、配信頻度を変更して配信することができる。具体的には、配信サーバ１０は、セル７１に位置するＵＥ８０へは定期的に配信データを配信し、セル７２に位置するＵＥ８０へはセル７１へ配信する間隔よりも長い間隔、もしくは、セル７１へ配信する頻度よりも低い頻度で配信データを配信することができる。セル７２へ移動したＵＥ８０は、セル７１において配信データを受信していた間隔よりも長い間隔で配信データを受信することになるため、セル７２において、配信データの受信処理に伴う消費電力を低減することができる。さらに、本図の配信システムを用いることによって、同じ情報が複数回送信されることにより、無線電波チャネル利用効率、無線電波帯域利用効率が悪化するという問題を解消することができる。これによって、無線電波利用効率を向上できる。
【００４８】
また、配信サーバ１０における効果について説明する。例えば、配信サーバ１０は、ＣＢＳを介して送信した配信データの量に応じて、ＣＢＳを管理する通信事業者から課金されるとする。このような場合、配信サーバ１０は、配信サービスエリア３０内の全てのエリアに定期的に配信データを配信する場合と比較して、配信サービスエリア３０内の内部エリア３２に配信データを配信する頻度を低くすることによって、配信データの量を少なくすることができる。これによって、配信サーバ１０は、配信サービスエリア３０内の全てのエリアに定期的に配信データを配信する場合と比較して、配信コストを低減することができる。
【００４９】
（実施の形態３）
続いて、図７を用いて本発明の実施の形態３にかかるＵＥ８０の構成例について説明する。本実施の形態においては、ＵＥ８０が内部エリア３２に位置する場合、入口エリア３１に位置する場合と比較して配信データを受信する頻度は少ないが、例えば、ＵＥ８０が定期的に配信データに関する情報を表示等することを前提とする。このような前提によって、配信サーバ１０は、内部エリア３２において配信する頻度を低くすることができるため、配信コストを抑えることができる。また、ＵＥ８０は、内部エリア３２に移動した場合においても、入口エリア３１と同様の頻度で配信データを表示等することによって、ＵＥ８０を保持するユーザは、定期的にデータを確認することができる。また、配信データに関する情報を表示等する、としたのは、配信データを表示する以外の処理も含むことを意図している。例えば、ＵＥ８０は、配信データを表示する以外に、配信データが音声データである場合、音声再生してもよく、配信データが動画データである場合、動画再生してもよい。
【００５０】
図７のＵＥ８０は、受信情報処理部８１、受信情報保管処理部８２、受信情報保管ＤＢ８３及び非定期受信時情報処理部８４を有している。受信情報処理部８１は、ＣＢＳを介して配信サーバ１０から配信された配信データを受信する。さらに、受信情報処理部８１は、受信した配信データを受信処理する。受信処理は、例えば、音声再生、画像表示、振動通知、発光通知もしくはＵＥ８０内の設定変更等のシステム制御等であってもよい。また、受信情報処理部８１は、受信した配信データを受信情報保管処理部８２へ出力する。
【００５１】
受信情報保管処理部８２は、受信情報処理部８１から出力された配信データを受信情報保管ＤＢ８３へ保管する。受信情報保管処理部８２は、受信情報処理部８１において受信した最新の配信データのみを受信情報保管ＤＢ８３へ保管してもよく、過去数回分の配信データを受信情報保管ＤＢ８３へ保管してもよい。また、受信情報保管処理部８２は、優先フラグ等が設定されている配信データを、優先フラグ等が設定されていない配信データに優先して受信情報保管ＤＢ８３へ保管してもよい。
【００５２】
受信情報保管ＤＢ８３は、受信情報保管処理部８２から出力された配信データを保管する。また、受信情報保管ＤＢ８３は、受信情報保管処理部８２の制御に従い、配信データを保管する。例えば、受信情報保管ＤＢ８３は、受信情報保管処理部８２から最新の配信データのみを保管することを指示された場合、最新の配信データのみを保管してもよい。もしくは、受信情報保管ＤＢ８３は、受信情報保管処理部８２から出力された配信データを、過去数回分保管することを指示された場合、過去数回分の配信データを保管してもよい。受信情報保管ＤＢ８３は、ＵＥ８０内のメモリ等に設けられてもよく、ＵＥ８０の外部に接続される記憶媒体等に設けられてもよい。
【００５３】
非定期受信時情報処理部８４は、ＵＥ８０が内部エリア３２に位置し、定期的に配信データを表示等する場合、予め定められたタイミングに、受信情報保管ＤＢ８３に保管されている配信データを取得する。さらに、受信情報保管ＤＢ８３は、取得した配信データについて、受信処理を行う。受信処理は、例えば、音声再生、画像表示、振動通知、発光通知もしくはＵＥ８０内の設定変更等のシステム制御等であってもよい。
【００５４】
非定期受信時情報処理部８４は、内部エリア３２において定期的に配信データを表示するタイミングを、受信情報処理部８１を介して配信サーバ１０から通知されてもよい。つまり、配信サーバ１０は、配信データとともに、内部エリア３２において定期的に配信データを表示するタイミングに関する情報を配信してもよい。もしくは、非定期受信時情報処理部８４は、ＵＥ８０を操作するユーザにおける入力情報に基づいて、内部エリア３２において定期的に配信データを表示するタイミングを定めてもよい。あるいは、非定期受信時情報処理部８４は、予め設定された情報に基づいて、内部エリア３２において定期的に配信データを表示するタイミングを定めてもよい。
【００５５】
なお、非定期受信時情報処理部８４において配信データを表示するタイミングは、絶対時刻で指定されても良いし、配信データ受信または配信実行時刻からの相対時刻で指定されても良い。さらに、表示するタイミングは周期的な情報として指定されても良く、絶対時刻で周期的に指定される場合は、例えば１２時より１分間隔などのように、相対時刻で周期的に指定される場合は、例えば最新の配信データ受信時より１分間隔などのように指定されても良い。非定期受信時情報処理部８４が複数の表示するタイミングを入手した場合、最新に入手した表示するタイミングを採用しても良いし、各表示するタイミングの優先度に基づいていずれかを採用しても良い。また、取得順、優先度などに基づいて、複数の表示するタイミングを採用しても良い。
【００５６】
続いて、図８を用いて本発明の実施の形態３にかかるＵＥ８０における配信データの保管処理の流れについて説明する。はじめに、受信情報処理部８１は、ＣＢＳを介して配信サーバ１０から配信データを受信する（Ｓ４１）。次に、受信情報処理部８１は、受信処理として、例えば、配信データを表示する処理を行う（Ｓ４２）。次に、受信情報保管処理部８２は、受信情報処理部８１において受信した配信データを受信情報保管ＤＢ８３へ保管する（Ｓ４３）。ここで、本図においては、受信情報処理部８１が配信データの表示処理を行った後に、受信情報保管処理部８２が配信データを受信情報保管ＤＢ８３へ保管する流れについて説明していが、ステップＳ４２及びＳ４３の順番が入れ替わってもよい。つまり、受信情報保管処理部８２が配信データを受信情報保管ＤＢ８３へ保管した後に、受信情報処理部８１が配信データの受信処理を行ってもよい。
【００５７】
次に、図９を用いて本発明の実施の形態３にかかるＵＥ８０における配信データの受信処理の流れについて説明する。具体的には、ＵＥ８０が内部エリア３２に位置する際の受信処理の流れについて説明する。本図においては、受信処理の具体例として、データを表示する処理について説明する。
【００５８】
はじめに、非定期受信時情報処理部８４は、データを表示するタイミングに関する情報を受け取る（Ｓ５１）。非定期受信時情報処理部８４は、配信サーバ１０から配信された、データを表示するタイミングに関する情報を受け取ってもよく、ＵＥ８０を操作するユーザの入力操作によって、データを表示するタイミングに関する情報を受け取ってもよい。あるいは、非定期受信時情報処理部８４は、同機能の設定情報よりデータを表示するタイミングに関する情報を受け取ってもよい。
【００５９】
次に、非定期受信時情報処理部８４は、配信データを表示するタイミングか否かを判定する（Ｓ５２）。非定期受信時情報処理部８４は、配信データを表示するタイミングではないと判定した場合、配信データを表示するタイミングになるまで、ステップＳ５２の処理を繰り返す。非定期受信時情報処理部８４は、配信データを表示するタイミングであると判定した場合、受信情報保管ＤＢ８３に保管されているデータを抽出する（Ｓ５３）。次に、非定期受信時情報処理部８４は、抽出したデータを表示する処理を行う（Ｓ５４）。
【００６０】
次に、非定期受信時情報処理部８４は、ＵＥ８０が内部エリア３２内に位置するか否かを判定する（Ｓ５５）。非定期受信時情報処理部８４は、例えば、ｅＮＢ６１もしくはｅＮＢ６２から配信される報知情報等に含まれる情報に従って、現在位置するセルが、内部エリア３２内に位置するか否かを判定してもよい。もしくは、非定期受信時情報処理部８４は、一定期間以上、配信サーバ１０から配信データを受信しない場合に、内部エリア３２に位置すると判定してもよい。この場合、ＵＥ８０が実際には入り口エリア３１に位置するがパケットロスなどの原因により一定期間以上配信サーバ１０から配信データを受信しない場合、非定期受信時情報処理部８４は、内部エリア３２に位置すると判定しても良い。非定期受信時情報処理部８４は、ＵＥ８０が内部エリア３２に位置すると判定した場合、以降の処理を繰り返す。非定期受信時情報処理部８４は、ＵＥ８０が内部エリア３２に位置しないと判定した場合、処理を終了する。
【００６１】
以上説明したように、本発明の実施の形態３にかかるＵＥ８０を用いることによって、入口エリア３１において配信された配信データを保管することができる。そのため、ＵＥ８０は、内部エリア３２において定期的に配信データを受信しない場合においても、保管していた配信データを表示等することができる。これによって、ＵＥ８０を保持するユーザは、内部エリア３２においても定期的にデータを確認することができる。本発明の実施の形態３にかかるＵＥ８０の動作は、入口エリア３１において受信する配信データの内容と、内部エリア３２において受信する配信データの内容に差異がない場合等において、配信サーバ１０が、内部エリア３２において配信データを配信する回数を減らすために有効である。
【００６２】
（実施の形態４）
続いて、図１０を用いて本発明の実施の形態４にかかる配信サーバ１０における配信データの配信処理の流れについて説明する。図３においては、定期送信処理部１２及び抑制送信処理部１３が異なる機能ブロックである配信サーバ１０の構成について説明したが、例えば、送信情報決定部１１が定期送信処理部１２及び抑制送信処理部１３における処理を実行してもよい。つまり、送信情報決定部１１が、入口エリア３１及び内部エリア３２に配信データを配信するタイミングを制御してもよい。図１０においては、送信情報決定部１１が、入口エリア３１及び内部エリア３２に配信データを配信するタイミングを制御する場合の処理の流れについて説明する。
【００６３】
はじめに、送信情報決定部１１は、配信データを決定する（Ｓ６１）。次に、送信情報決定部１１は、入り口エリア３１への送信、内部エリア３２への送信、あるいは入口エリア３１及び内部エリア３２両方への送信のいずれかの送信タイミングであるか否かを判定する（Ｓ６２）。なお、ステップＳ６２の送信タイミングの判定は、定期送信間隔に該当するか、任意時点の送信に該当するかなどで判断しても良い。ここで、任意時点の送信は、前回に各エリアへ配信した配信データと現時点でステップＳ６１が決定した配信データが異なると判断できる場合（すなわち情報に更新や変更があった場合）に行っても良い。
【００６４】
情報処理決定部１１は、ステップＳ６２にて、いずれかの送信タイミングに該当すると判断した場合ステップＳ６３に進み、いずれの送信タイミングにも該当しないと判断した場合ステップＳ６２の処理を繰り返す。送信情報決定部１１は、いずれかの送信タイミングに該当すると判断した場合（ステップＳ６２のＹｅｓ）、配信データの送信タイミングが、入り口エリア３１への送信、内部エリア３２への送信、あるいは入口エリア３１及び内部エリア３２両方への送信のいずれに該当したかを判定する（Ｓ６３）。
【００６５】
情報処理決定部１１は、ステップＳ６３にて、入り口エリア３１への送信タイミングに該当したと判断した場合ステップＳ６４に進み、内部エリア３２への送信タイミングに該当したと判断した場合ステップＳ６５に進み、入り口エリア３１及び内部エリア３２両方への送信タイミングに該当したと判断した場合ステップＳ６６に進む。
【００６６】
送信情報決定部１１は、ステップＳ６１において決定した配信データの送信が、入り口エリア３１への送信タイミングに該当すると判断した場合、ステップＳ６１において決定した配信データを入口エリア３１へ配信する（Ｓ６４）。送信情報決定部１１は、ステップＳ６１において決定した配信データの送信が、内部エリア３２への送信タイミングに該当すると判断した場合、ステップＳ６１において決定した配信データを内部エリア３２へ配信する（Ｓ６５）。情報決定部１１は、ステップＳ６１において決定した配信データの送信が、入り口エリア３１及び内部エリア３２の両方への送信タイミングに該当すると判断した場合、ステップＳ６１において決定した配信データを入口エリア３１及び内部エリア３２へ配信する（Ｓ６６）。
【００６７】
以上説明したように、図１０の配信処理の流れを実行することによって、送信情報決定部１１が、定期送信処理部１２及び抑制送信処理部１３において実行する処理もあわせて実行することができる。例えば、一つのＣＰＵが、メモリ等に保存されているプログラムを用いて実行することによって、送信情報決定部１１が実行する処理を実現することができる。
【００６８】
（実施の形態５）
続いて、図１１を用いて本発明の実施の形態５にかかる配信データを配信する際の具体的なサービス概要について説明する。本図の六角形のエリアは、それぞれｅＮＢが形成するセルを示している。実線で示されるセルは、入口エリア３１に対応するセルを示しており、破線で示されるセルは、内部エリア３２に対応するセルを示している。
【００６９】
各セルは、高速道路上に形成されている。高速道路への入口であるＩＣ（Interchange）を有するエリアは、入口エリア３１とされている。さらに、スマートＩＣを有するサービスエリア（ＳＡ）もしくはパーキングエリア（ＰＡ）についても、入口エリア３１とされている。また、スマートＩＣを有さないＳＡもしくはＰＡは、内部エリア３２とされている。
【００７０】
ＵＥ−Ａ、ＵＥ−Ｂ、ＵＥ−Ｃ及びＵＥ−Ｄは、例えば車両であって、矢印は進行方向を示している。
【００７１】
実施の形態１〜４において説明した配信サーバ１０は、ＩＣもしくはスマートＩＣが存在するセル（実線のセル）に対しては、ＣＢＳを介して定期的に配信データを配信する。また、配信サーバ１０は、ＩＣもしくはスマートＩＣが存在するセル以外のセル（破線のセル）に対しては、ＣＢＳを介して、実線のセルに配信データを配信する間隔よりも長い間隔、任意の間隔もしくは配信データに変更があった場合等に、配信データを配信する。
【００７２】
このように、配信サーバ１０は、高速道路のＩＣもしくはスマートＩＣを入口エリア３１とし、それ以外のエリアを内部エリア３２として、配信データの配信間隔を調整することができる。このようにエリアを分けることによって、ＩＣもしくはスマートＩＣを介して高速道路に入場してきた車両は、入口エリア３１において、配信サーバ１０から配信される配信データを繰り返し受信することができる。そのため、車両は、入口エリア３１において、高速道路の走行にあたり必要な情報、もしくは有益な情報等を取得することができる。車両は、入口エリア３１を通過し、内部エリア３２に入った場合には、既に入口エリア３１において必要な情報を取得しているため、配信サーバ１０から配信データを受信する間隔を長くすることができる。
【００７３】
続いて、図１２を用いて図１１とは異なる、配信データを配信する際の具体的なサービス概要について説明する。本図の六角形のエリアは、図１１と同様に、入口エリア３１に対応するセル及び内部エリア３２に対応するセルを示している。
【００７４】
各セルは、線路上に形成されている。駅を有するエリアは、入口エリア３１とされている。また、駅を有さないエリアは、内部エリア３２とされている。
【００７５】
ＵＥ−Ａ、ＵＥ−Ｂ、ＵＥ−Ｃは、例えば電車に乗車しているユーザが保持する携帯電話端末であって、矢印は進行方向を示している。ＵＥ−Ａ、ＵＥ−Ｂ、ＵＥ−Ｃは、入口エリア３１である駅において、ＣＢＳを介して定期的に配信データを受信し、内部エリア３２において、ＣＢＳを介して、実線のセルに配信データを配信する間隔よりも長い間隔、任意の間隔もしくは配信データに変更があった場合等に、配信データを配信する。また、配信サーバ１０は、駅で乗り降りするユーザが保持する携帯電話端末以外にも、駅を通過するユーザが保持する携帯電話端末にも、定期的に配信データを配信してもよい。
【００７６】
続いて、図１３を用いて図１１及び図１２とは異なる、配信データを配信する際の具体的なサービス概要について説明する。図１３においては、自治体が管理するエリアの境界を入口エリア３１とする図を示している。図１３において、実線で示されるセルのエリアは異なる２つ以上の複数の自治体にまたがるエリア（各自治体間の境界に位置するエリア）であり、破線で示されるセルのエリアは１つの自治体に対応するエリア（各自治体間の境界を含まないエリア）である。このような場合、自治体の境界に位置する実線のセルを入口エリア３１とし、それ以外の破線のセルを内部エリア３２とする。
【００７７】
ＵＥ−Ａ、ＵＥ−Ｂ、ＵＥ−Ｃ及びＵＥ−Ｄは、それぞれ車両であってもよく、携帯電話端末等であってもよい。ＵＥ−Ａは、境界に位置する入口エリア３１に入ってきた携帯電話端末等であり、定期的に配信データが配信される。また、ＵＥ−Ｄは、入口エリア３１内を移動している車両等であるが、このような車両等にも定期的に配信データが配信されてもよい。なお、ＵＥ−Ｂ、ＵＥ−Ｃは内部エリア３２を移動あるいは停止しているため、入り口エリア３１と同等の定期的な配信データが配信されなくても良い（例えば、より長い間隔や他の任意の間隔、配信データ変更時のみ配信など）。
【００７８】
以上説明したように、実施の形態１〜４において説明した配信サーバ１０、入口エリア３１及び内部エリア３２等を用いて、図１１〜図１３に示すサービスを実現することができる。図１１〜図１３に示したサービスは、あくまで例示であり、実施の形態１〜４において説明した配信サーバ１０等を用いて他のサービスを実現することもできる。
【００７９】
（実施の形態６）
続いて、図１４を用いて本発明の実施の形態６にかかるエリアの構成例について説明する。本図は、図１１と同様に、高速道路上にセルが形成されている。また、入口エリア３１及び内部エリア３２の位置についても、図１１と同様である。図１４には、サブエリアＡ及びサブエリアＢが定められている。サブエリアＡは、内部エリア３２に対応するセルのみで構成されているエリアである。一方、サブエリアＢは、入口エリア３１に対応するセルと、内部エリア３２に対応するセルとを用いて構成されているエリアである。
【００８０】
例えば、配信サーバ１０の送信情報決定部１１は、サブエリアにおいて１台の車両にＮ回配信データを配信することを決定する（Ｎは、正の整数）。この時、送信情報決定部１１は、ＵＥ−Ａの移動速度を用いて、ＵＥ−ＡがサブエリアＡに滞在する滞在時間を算出する。さらに、送信情報決定部１１は、滞在時間をＮで割ることによってサブエリアＡ内の車両等へ配信データを配信する間隔を定める。ＵＥ−Ａの移動速度は、例えば、高速道路であれば、高速道路における法定速度としてもよく、もしくは、サブエリアＡ内を走行する複数の車両から速度情報を収集し、収集した複数の速度情報を統計的に処理し、例えば平均速度を、ＵＥ−Ａの移動速度としてもよい。また、滞在時間は、車両がサブエリアＡ内を移動する距離に関する情報を予め送信情報決定部１１が保持し、移動距離を、ＵＥ−Ａの移動速度で割ることによって算出することができる。
【００８１】
次に、サブエリアＢ内の車両等へ配信データを配信する間隔について説明する。サブエリアＢ内には、入口エリア３１が含まれており、入口エリア３１に対応するセルにおいては、定期的に配信データが配信される。そこで、送信情報決定部１１は、サブエリアＢ内の入口エリア３１において、配信される回数ｎ（ｎは正の整数）を算出する。送信情報決定部１１は、ＵＥ−Ｂの移動速度を用いて、ＵＥ−ＢがサブエリアＢ内の入口エリア３１に滞在する滞在時間を算出する。さらに、送信情報決定部１１は、入口エリア３１における滞在時間を定期的に配信データを配信する間隔を示す時間で割ることによって、入口エリア３１を走行するＵＥ−Ｂへ配信データを配信する回数ｎを算出する。
【００８２】
ここで、送信情報決定部１１は、Ｎ＞ｎである場合、Ｎ−ｎ（回）配信データをサブエリアＢ内の内部エリア３２へ配信することを決定してもよい。また、ｎ＞Ｎである場合、サブエリアＢ内の入口エリア３１においてｎ回（ｎ＞Ｎ）のデータ配信が行われるため、サブエリアＢ内でのＮ回の配信は入り口エリア３１内で満たされると判断し、サブエリアＢ内の内部エリア３２においては、配信データを配信しないとしてもよい。
【００８３】
続いて、図１５を用いて、送信情報決定部１１におけるサブエリアへ配信データを配信する間隔を算出する処理の流れについて説明する。はじめに、送信情報決定部１１は、配信回数Ｎを決定する（Ｓ７１）。次に、送信情報決定部１１は、配信データを配信するサブエリアに入口エリア３１を含むか否かを判定する（Ｓ７２）送信情報決定部１１は、配信データを配信するサブエリアに入口エリア３１を含むと判定した場合、ＵＥが入口エリア３１に滞在する時間を算出する（Ｓ７３）。次に、送信情報決定部１１は、入口エリア３１及び内部エリア３２へ配信データを配信する回数を決定する（Ｓ７４）。
【００８４】
次に、送信情報決定部１１は、内部エリア３２におけるＵＥの滞在時間を算出する（Ｓ７５）。次に、送信情報決定部１１は、ステップＳ７１あるいはステップＳ７４で決定した配信回数とステップＳ７５で算出した内部エリア３２におけるＵＥの滞在時間より、内部エリア３２に位置するＵＥへ配信する配信データの配信間隔を決定する（Ｓ７６）。
【００８５】
また、ステップＳ７２において、サブエリアに入口エリア３１を含まないと判定した場合、ステップＳ７５以降の処理を実行する。
【００８６】
以上説明したように、本発明の実施の形態６にかかるサブエリアの概念を用いてサブエリア内の内部エリア３２における配信データの配信間隔を決定することができる。実施の形態６においては、送信情報決定部１１が定める配信回数に応じて、内部エリア３２に配信する配信データの配信間隔を決定することができる。そのため、所属するサブエリアが異なる内部エリア３２に対して、配信データの配信間隔が異なるように制御することができる。これより、入口エリア３１を含むサブエリア内を移動するＵＥは、入口エリア３１において、配信データを多く受信する場合、内部エリア３２において、ＵＥが過剰に配信データを取得することを防止することができる。
【００８７】
上述の実施の形態では、本発明をハードウェアの構成として説明したが、本発明は、これに限定されるものではない。本発明は、配信サーバ１０における処理を、ＣＰＵ（Central Processing Unit）にコンピュータプログラムを実行させることにより実現することも可能である。
【００８８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８９】
なお、本発明は上記実施の形態に限られたものではなく、趣旨を逸脱しない範囲で適宜変更することが可能である。
【００９０】
以上、実施の形態を参照して本願発明を説明したが、本願発明は上記によって限定されるものではない。本願発明の構成や詳細には、発明のスコープ内で当業者が理解し得る様々な変更をすることができる。
【００９１】
この出願は、２０１４年１月１６日に出願された日本出願特願２０１４−００５７８７を基礎とする優先権を主張し、その開示の全てをここに取り込む。
【符号の説明】
【００９２】
１０  配信サーバ
１１  送信情報決定部
１２  定期送信処理部
１３  抑制送信処理部
２０  移動通信装置
３０  配信サービスエリア
３１  入口エリア
３２  内部エリア
４０  ＣＢＣ
５０  ＭＭＥ
６１  ｅＮＢ
６２  ｅＮＢ
７１  セル
７２  セル
８０  ＵＥ
８１  受信情報処理部
８２  受信情報保管処理部
８３  受信情報保管ＤＢ
８４  非定期受信時情報処理部
【図１】
2015107585.tif 000003
【図２】
2015107585.tif 000004
【図３】
2015107585.tif 000005
【図４】
2015107585.tif 000006
【図５】
2015107585.tif 000007
【図６】
2015107585.tif 000008
【図７】
2015107585.tif 000009
【図８】
2015107585.tif 000010
【図９】
2015107585.tif 000011
【図１０】
2015107585.tif 000012
【図１１】
2015107585.tif 000013
【図１２】
2015107585.tif 000014
【図１３】
2015107585.tif 000015
【図１４】
2015107585.tif 000016
【図１５】
2015107585.tif 000017
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
配信サービスエリア内に配信する情報を定める配信サーバと、
前記配信サーバから配信された情報を受信する移動通信装置と、を備え、
前記配信サービスエリアは、複数の配信エリアを有し、
前記配信サーバは、
前記複数の配信エリアに含まれる第１の配信エリアに位置する移動通信装置へ情報を配信する頻度よりも、前記複数の配信エリアに含まれる第２の配信エリアに位置する移動通信装置へ情報を配信する頻度を少なくして、前記配信サービスエリア内に位置する移動通信装置へ情報を配信する、配信システム。
【請求項２】
前記移動通信装置が、前記配信サービスエリア外から前記配信サービスエリア内へ移動する際の前記配信サービスエリア内への入り口となる入口エリアを前記第１の配信エリアとし、前記配信サービスエリアの前記入り口エリアとは異なる内部エリアを前記第２の配信エリアとする、請求項１に記載の配信システム。
【請求項３】
前記配信サービスエリアの中で前記移動通信装置の密度が高いエリアを前記第１の配信エリアとし、前記配信サービスエリアの中で前記移動通信装置の密度が低いエリアを前記第２の配信エリアとする、請求項１又は２に記載の配信システム。
【請求項４】
前記配信サーバは、
前記第１の配信エリアに位置する移動通信装置へ定期間隔で情報を配信し、前記第２の配信エリアに位置する移動通信装置へ前記第１の配信エリアに情報を配信する頻度よりも少ない頻度で情報を配信する、請求項１乃至３のいずれか１項に記載の配信システム。
【請求項５】
前記配信サーバは、
前記第２の配信エリアへ前記定期間隔よりも長い間隔で情報を配信するもしくは配信する情報が更新された際に前記更新された情報を配信する、請求項４に記載の配信システム。
【請求項６】
前記配信サーバは、
ＣＢＳ（Cell Broadcast Service）を介して情報を配信する、請求項１乃至５のいずれか１項に記載の配信システム。
【請求項７】
前記移動通信装置は、
前記第１の配信エリアもしくは前記第２の配信エリアにおいて受信した情報を保持し、前記第２の配信エリアに位置すると判断する際に、前記保持している情報を出力する、請求項１乃至６のいずれか１項に記載の配信システム。
【請求項８】
前記配信サーバは、
前記移動通信装置が前記第２の配信エリアに位置する際に、前記保持している情報を出力するタイミングに関する情報を前記移動通信装置へ配信する、請求項７に記載の配信システム。
【請求項９】
前記配信サーバは、
前記第２の配信エリアに含まれるサブエリア内を移動する前記移動通信装置に対して、前記サブエリア内で情報を配信する回数を定め、前記移動通信装置が前記サブエリア内に滞在する間に定めた回数の情報を配信する間隔を定める、請求項１乃至８のいずれか１項に記載の配信システム。
【請求項１０】
前記配信サーバは、
前記サブエリアの一部が前記第１の配信エリアと重複する場合、前記サブエリア内であって前記重複するエリアを除いたエリア内を移動する前記移動通信装置に対して前記配信する回数を、前記サブエリア内で情報を配信する回数から前記重複するエリアにおいて情報を配信する回数を除いた回数と定める、請求項９に記載の配信システム。
【請求項１１】
配信サービスエリア内に位置する移動通信装置へ配信する情報を定める送信情報決定手段と、
前記配信サービスエリアは、複数の配信エリアを有し、
前記複数の配信エリアに含まれる第１の配信エリアへ位置する前記移動通信装置へ情報を配信する定期送信処理手段と、
前記複数の配信エリアに含まれる第２の配信エリアへ位置する前記移動通信装置へ前記第１の配信エリアに情報を配信する頻度よりも少ない頻度で情報を配信する抑制送信処理手段と、を備える配信サーバ。
【請求項１２】
前記移動通信装置が、前記配信サービスエリア外から前記配信サービスエリア内へ移動する際の前記配信サービスエリア内への入り口となる入口エリアを前記第１の配信エリアとし、前記配信サービスエリアの前記入り口エリアとは異なる内部エリアを前記第２の配信エリアとする、請求項１１に記載の配信サーバ。
【請求項１３】
前記配信サービスエリアの中で前記移動通信装置の密度が高いエリアを前記第１の配信エリアとし、前記配信サービスエリアの中で前記移動通信装置の密度が低いエリアを前記第２の配信エリアとする、請求項１１又は１２に記載の配信サーバ。
【請求項１４】
前記抑制送信処理手段は、
前記第２の配信エリアへ情報を配信する間隔よりも長い間隔で情報を配信するもしくは配信する情報が更新された際に前記更新された情報を配信する、請求項１１乃至１３のいずれか１項に記載の配信サーバ。
【請求項１５】
前記定期送信処理手段及び前記抑制送信処理手段は、
ＣＢＳ（Cell Broadcast Service）を介して情報を配信する、請求項１１乃至１４のいずれか１項に記載の配信サーバ。
【請求項１６】
前記送信情報決定手段は、
前記移動通信装置が、前記第１の配信エリアもしくは前記第２の配信エリアにおいて受信した情報を保持し、前記第２の配信エリアに位置すると判断する際に、前記保持している情報を出力する場合、
前記移動通信装置が前記第２の配信エリアに位置すると判断する際に、前記保持している情報を出力するタイミングを決定する、請求項１１乃至１５のいずれか１項に記載の配信サーバ。
【請求項１７】
前記送信情報決定手段は、
前記第２の配信エリアに含まれるサブエリア内を移動する前記移動通信装置に対して、前記サブエリア内で情報を配信する回数を定め、前記移動通信装置が前記サブエリア内に滞在する間に定めた回数の情報を配信する間隔を定める、請求項１１乃至１６のいずれか１項に記載の配信サーバ。
【請求項１８】
前記送信情報決定手段は、
前記サブエリアの一部が前記第１の配信エリアと重複する場合、前記サブエリア内であって前記重複するエリアを除いたエリア内を移動する前記移動通信装置に対して前記配信する回数を、前記サブエリア内で情報を配信する回数から前記重複するエリアにおいて情報を配信する回数を除いた回数と定める、請求項１７に記載の配信サーバ。
【請求項１９】
移動通信装置が配信サービスエリア外から前記配信サービスエリア内へ移動する際に、前記配信サービスエリアは、複数の配信エリアを有し、前記複数の配信エリアに含まれる第１の配信エリアに位置する移動通信装置へ情報を配信する頻度よりも、前記複数の配信エリアに含まれる第２の配信エリアに位置する移動通信装置へ情報を配信する頻度を少なくして、前記配信サービスエリア内に位置する移動通信装置へ情報を配信する配信サーバから配信される情報を受信する通信手段を有する、移動通信装置。
【請求項２０】
前記移動通信装置が、前記配信サービスエリア外から前記配信サービスエリア内へ移動する際の前記配信サービスエリア内への入り口となる入口エリアを前記第１の配信エリアとし、前記配信サービスエリアの前記入り口エリアとは異なる内部エリアを前記第２の配信エリアとする、請求項１９に記載の移動通信装置。
【請求項２１】
前記配信サービスエリアの中で前記移動通信装置の密度が高いエリアを前記第１の配信エリアとし、前記配信サービスエリアの中で前記移動通信装置の密度が低いエリアを前記第２の配信エリアとする、請求項１９又は２０に記載の移動通信装置。
【請求項２２】
前記第１の配信エリアもしくは前記第２の配信エリアにおいて受信した情報を保持する情報保持手段と、
前記第２の配信エリアに位置すると判断する際に、前記保持している情報を出力する情報処理手段と、をさらに備える、請求項１９乃至２１のいずれか１項に記載の移動通信装置。
【請求項２３】
前記情報処理手段は、
前記配信サーバから送信された、前記保持している情報を出力するタイミングに関する情報に従って前記保持している情報を出力する、請求項２２に記載の移動通信装置。
【請求項２４】
配信サービスエリア内に位置する移動通信装置へ配信する情報を定め、
前記配信サービスエリアは、複数の配信エリアを有し、
前記複数の配信エリアに含まれる第１の配信エリアへ位置する前記移動通信装置へ情報を配信し、
前記複数の配信エリアに含まれる第２の配信エリアへ位置する前記移動通信装置へ前記第１の配信エリアに情報を配信する頻度よりも少ない頻度で情報を配信する情報配信方法。
【請求項２５】
配信サービスエリア内に位置する移動通信装置へ配信する情報を定め、
前記配信サービスエリアは、複数の配信エリアを有し、
前記複数の配信エリアに含まれる第１の配信エリアへ位置する前記移動通信装置へ情報を配信し、
前記複数の配信エリアに含まれる第２の配信エリアへ位置する前記移動通信装置へ前記第１の配信エリアに情報を配信する頻度よりも少ない頻度で情報を配信することをコンピュータに実行させるプログラム。
【国際調査報告】
2015107585.tif 000018
2015107585.tif 000019